(57)【要約】【課題】高精細な映像コンテンツのリアルタイム再生等が可能な匿名性サービスを行えるようにする。【解決手段】サービス提供者の通信端末装置２０Ｐとの接続要求がサービス利用者の通信端末装置２０Ｕから行われたとき、ＡＳＰ設備３０は通信端末装置２０Ｕ，２０Ｐに割り当てられている電話番号を用いて、通信端末装置２０Ｕとのセッションと通信端末装置２０Ｐとのセッションを確立する。その後、通信端末装置２０Ｕ，２０Ｐの一方から送信された信号を他方に転送させる転送指示を、帯域保証型であるＮＧＮ網４０のＳＩＰサーバ４１に対して行う。このような第三者呼制御を行うことで、匿名性サービスを行うことができる。また、帯域保証型のＮＧＮ網を介して通信端末装置２０Ｕと通信端末装置２０Ｐとの間で通信が行われることから、高精細なリアルタイム再生等が可能となる。【選択図】        図１
2010010892.tif 000002
【特許請求の範囲】
【請求項１】
第１の通信端末装置によって第２の通信端末装置への接続要求がなされたとき、前記第１の通信端末装置に割り当てられているユーザ識別情報と、前記第２の通信端末装置に割り当てられているユーザ識別情報を出力する識別情報出力部と、
前記識別情報出力部から出力されたユーザ識別情報を用いて、前記第１の通信端末装置とのセッションと前記第２の通信端末装置とのセッションを、帯域保証型のネットワークを介して確立したのち、前記ネットワークにおいて前記第１および第２の通信端末装置の一方から送信された信号を他方に転送させる転送指示を、前記ネットワーク内のセッション管理サーバに対して行う呼制御部と、
を備える通信制御装置。
【請求項２】
前記呼制御部は、前記転送指示後、前記第１の通信端末装置とのセッションと前記第２の通信端末装置とのセッションを終了させる請求項１記載の通信制御装置。
【請求項３】
前記接続要求はベストエフォート型のネットワークで行う請求項２記載の通信制御装置。
【請求項４】
前記呼制御部は、前記第１の通信端末装置とのセッションを確立するとき前記第１の通信端末装置を受信のみに設定し、前記第２の通信端末装置とのセッションを確立するとき前記第２の通信端末装置を送信のみに設定する請求項２記載の通信制御装置。
【請求項５】
前記第１の通信端末装置によって利用された前記第２の通信端末装置によるサービスと、前記第１の通信端末装置と前記第２の通信端末装置で行われた通信のログを取得して記憶する履歴情報記憶部をさらに備える請求項２記載の通信制御装置。
【請求項６】
前記ユーザ識別情報は電話番号である請求項２記載の通信制御装置。
【請求項７】
画像データを記憶した画像データ記憶部を更に備え、
前記呼制御部は、前記第１の通信端末装置とのセッションを確立したとき、前記画像データ記憶部に記憶されている画像データを前記第１の通信端末装置に供給する処理を行う請求項１記載の通信制御装置。
【請求項８】
サービス利用者の通信端末装置と、
サービス提供者の通信端末装置と、
前記通信端末装置間の通信を制御する通信制御装置と、
前記通信端末装置と前記通信制御装置が接続される帯域保証型のネットワークを少なくとも有し、
前記通信制御部は、
前記サービス利用者の通信端末装置によって利用するサービスの指示がなされたとき、前記サービス利用者の通信端末装置に割り当てられているユーザ識別情報と、指示されたサービスを提供する前記サービス提供者の通信端末装置に割り当てられているユーザ識別情報を出力する識別情報出力部と、
前記識別情報出力部から出力されたユーザ識別情報を用いて、前記第１の通信端末装置とのセッションと前記第２の通信端末装置とのセッションを、前記ネットワークを介して確立したのち、前記ネットワークにおいて前記第１および第２の通信端末装置の一方から送信された信号を他方に転送させる転送指示を、前記ネットワーク内のセッション管理サーバに対して行う呼制御部と、
を備える通信システム。
【請求項９】
第１の通信端末装置によって第２の通信端末装置への接続要求がなされたとき、前記第１の通信端末装置に割り当てられているユーザ識別情報と、前記第２の通信端末装置に割り当てられているユーザ識別情報を出力する識別情報出力工程と、
前記出力されたユーザ識別情報を用いて、前記第１の通信端末装置とのセッションと前記第２の通信端末装置とのセッションを、帯域保証型のネットワークを介して確立したのち、前記ネットワークにおいて前記第１および第２の通信端末装置の一方から送信された信号を他方に転送させる転送指示を、前記ネットワーク内のセッション管理サーバに対して行う呼制御工程と、
を備える通信制御方法。
【発明の詳細な説明】
【技術分野】
【０００１】
この発明は、通信制御装置と通信システムおよび通信制御方法に関する。詳しくは、ＮＧＮ網を用いて、帯域保証された匿名性のサービスを提供できるようにするものである。
【背景技術】
【０００２】
従来、インターネット等のネットワークを利用した電話サービスでは、ＳＩＰ(Session Initiation Protocol)を用いて、セッションの確立や切り換え、メンテナンス、リリース、管理の制御が行われている。このＳＩＰや関連メディアプロトコル（例えばＲＴＰ）の通信は、安全なサービスを行うために、ＩＰネットワークの境界上に位置しているファイヤーウォールや、ＮＡＴ(Network Address Translation)装置によってブロックされてしまう場合がある。
【０００３】
例えば、ローカルエリアネットワークの境界に配置されたファイヤーウォールでは、外部から内部のネットワークに向かう許可されていない通信をブロックすることが行われており、ＳＩＰによってコントロールされた通信が妨げられてしまう場合がある。また、ＮＡＴ装置は、プライベートネットワークとパブリックネットワークでアドレス変換を行うことにより、パブリックネットワークのアドレスを節約するものであり、プライベートネットワークのアドレスとパブリックネットワークのアドレスの関係は動的に変化する。したがって、外部からプライベートネットワークにおける所望のアドレスの通信端末装置と通信を行う場合、アドレス変換テーブルで、外部からのパブリックネットワークのアドレスに対してプライベートネットワークの所望のアドレスが示されていないと、所望の通信端末装置との通信がブロックされてしまう。そこで、特許文献１の発明では、ＮＡＴ装置と論理的に平行配置させたＳＩＰプロキシサーバを設けて、ＳＩＰメッセージの受信や接続、特定のユーザエージェントに対してＩＰアドレスの送信等を行うことで、ローカルネットワーク中のユーザが、インターネットから他のユーザと直接通信を可能とすることが開示されている。
【０００４】
【特許文献１】特開２００６−２５４４０２号公報
【発明の開示】
【発明が解決しようとする課題】
【０００５】
ところで、パブリックネットワークとしてインターネットを用いる場合、インターネットはベストエフォート型のネットワークであり、一定の帯域を確保して通信を行うことができない。したがって、高精細な映像コンテンツのリアルタイム再生を行うことが困難である。
【０００６】
また、ＩＰ（Internet Protocol）技術をベースとして、回線交換式の電話回線網の置き換えをはかった次世代ネットワーク（ＮＧＮ：Next Generation Network）は、帯域保証型のネットワークであり、このような帯域保証型のネットワークを用いれば、一定の帯域を確保できることから高精細な映像コンテンツのリアルタイム再生を行うことができる。図９は、帯域保証型のネットワークであるＮＧＮ網４０を用いた通信動作を示している。発信者の通信端末装置２０Ａは、セッションを確立するために、発信者と着信者の電話番号に基づいてＩＮＶＩＴＥメッセージを生成してＮＧＮ網４０に送信する。ＮＧＮ網４０は、ＩＮＶＩＴＥメッセージを着信者の通信端末装置２０Ｂに転送する。通信端末装置２０Ｂは、受信したＩＮＶＩＴＥメッセージを受け入れて、２００ ＯＫメッセージをレスポンスとして通信端末装置２０Ａに送信する。通信端末装置２０Ａは、リクエストメッセージすなわちＩＮＶＩＴＥメッセージに対するレスポンスメッセージが通信端末装置２０Ｂから供給されたとき、レスポンスメッセージの受信を示すＡＣＫメッセージを通信端末装置２０Ｂに送信する。このように、通信端末装置２０Ａと通信端末装置２０Ｂとの間でセッションを確立して、ＮＧＮ網４０において予約されている帯域を使用して高精細な映像コンテンツ等のコンテンツ信号を送受信できる（矢印Ｆ１０）。しかし、ＮＧＮ網４０は、電話番号を用いて通信を行うもので、従来の電話回線網のように発信者番号の非通知設定は可能であるが、匿名性サービスすなわち電話番号を公開することなく種々のサービスをユーザに提供することができない。
【０００７】
そこで、この発明では、高精細な映像コンテンツのリアルタイム再生等が可能な匿名性サービスを行う通信制御装置と通信システムおよび通信制御方法を提供するものである。
【課題を解決するための手段】
【０００８】
この発明の概念は、サービス提供者の通信端末装置との接続要求がサービス利用者の通信端末装置からなされたとき、通信制御装置は、それぞれの通信端末装置に割り当てられているユーザ識別情報を用いて、第三者呼制御を例えば帯域保証型のネットワーク上で行うことにより、サービス提供者の通信端末装置に割り当てられているユーザ識別情報が秘匿されていても、予約されている帯域を使用して、サービス利用者がサービス提供者の提供しているサービスを利用可能とするものである。帯域保証型のネットワークは、例えばセッション管理サーバであるＳＩＰサーバを用いて構成されたＮＧＮ網であり、ＮＧＮ網で通信を行う場合、通信制御装置は、それぞれの通信端末装置に割り当てられているユーザ識別情報（例えば電話番号）を利用してセッションの確立を行うものである。
【０００９】
この発明に係る通信制御装置は、第１の通信端末装置によって第２の通信端末装置への接続要求がなされたとき、第１の通信端末装置に割り当てられているユーザ識別情報と、第２の通信端末装置に割り当てられているユーザ識別情報を出力する識別情報出力部と、
識別情報出力部から出力されたユーザ識別情報を用いて、第１の通信端末装置とのセッションと第２の通信端末装置とのセッションを、帯域保証型のネットワークを介して確立したのち、ネットワークにおいて第１および第２の通信端末装置の一方から送信された信号を他方に転送させる転送指示を、ネットワーク内のセッション管理サーバに対して行う呼制御部とを備えるものである。
【００１０】
また、この発明に係る通信システムは、サービス利用者の通信端末装置と、サービス提供者の通信端末装置と、通信端末装置間の通信を制御する通信制御装置と、通信端末装置と通信制御装置が接続される帯域保証型のネットワークを少なくとも有し、通信制御部は、サービス利用者の通信端末装置によって利用するサービスの指示がなされたとき、サービス利用者の通信端末装置に割り当てられているユーザ識別情報と、指示されたサービスを提供するサービス提供者の通信端末装置に割り当てられているユーザ識別情報を出力する識別情報出力部と、識別情報出力部から出力されたユーザ識別情報を用いて、第１の通信端末装置とのセッションと第２の通信端末装置とのセッションを、ネットワークを介して確立したのち、ネットワークにおいて第１および第２の通信端末装置の一方から送信された信号を他方に転送させる転送指示を、ネットワーク内のセッション管理サーバに対して行う呼制御部とを備えるものである。
【００１１】
また、この発明に係る通信制御方法は、第１の通信端末装置によって第２の通信端末装置への接続要求がなされたとき、第１の通信端末装置に割り当てられているユーザ識別情報と、第２の通信端末装置に割り当てられているユーザ識別情報を出力する識別情報出力工程と、出力されたユーザ識別情報を用いて、第１の通信端末装置とのセッションと第２の通信端末装置とのセッションを、帯域保証型のネットワークを介して確立したのち、ネットワークにおいて第１および第２の通信端末装置の一方から送信された信号を他方に転送させる転送指示を、ネットワーク内のセッション管理サーバに対して行う呼制御工程とを備えるものである。
【００１２】
この発明においては、第１の通信端末装置によって第２の通信端末装置への接続要求が、例えばベストエフォート型のネットワークであるインターネット等を介して行われる。通信制御装置では、この接続要求がなされたとき、帯域保証型のネットワークである例えばＮＧＮ網を介して、第１の通信端末装置とのセッションと第２の通信端末装置とのセッションが、第１の通信端末装置に割り当てられているユーザ識別情報と第２の通信端末装置に割り当てられているユーザ識別情報を用いて確立される。
【００１３】
通信制御装置と第１の通信端末装置とのセッションおよび通信制御装置と第２の通信端末装置とのセッションが確立されると、通信端末装置の一方から送信された信号をＮＧＮ網で他方に転送させる転送指示が、通信制御装置からＮＧＮ網のセッション管理サーバであるＳＩＰサーバに対して行われる。
【００１４】
また、通信制御装置と第１の通信端末装置とのセッションおよび通信制御装置と第２の通信端末装置とのセッションの確立では、第１の通信端末装置を受信のみに設定し、第２の通信端末装置を送信のみに設定することが行われる。また、通信制御装置では、第１の通信端末装置によって利用された第２の通信端末装置によるサービスと、第１の通信端末装置と第２の通信端末装置で行われた通信のログが記憶される。
【発明の効果】
【００１５】
この発明によれば、第１の通信端末装置によって第２の通信端末装置への接続指示がなされたとき、第１と第２の通信端末装置にそれぞれ割り当てられているユーザ識別情報が出力されて、このユーザ識別情報を用いて、第１の通信端末装置とのセッションと第２の通信端末装置とのセッションがネットワークを介してそれぞれ確立される。さらに、セッションが確立されたのち、ネットワークにおいて第１および第２の通信端末装置の一方から送信された信号を他方に転送させる転送指示がネットワーク上のセッション管理サーバに対して行われる。
【００１６】
このため、第１の通信端末装置が第２の通信端末装置のユーザ識別情報を知らなくとも、ネットワークで予約されている帯域を使用して、第１の通信端末装置と第２の通信端末装置との通信が可能となり、高精細な映像コンテンツのリアルタイム再生等が可能な匿名性サービスを行える。
【発明を実施するための最良の形態】
【００１７】
以下、図を参照しながら、この発明の実施の一形態について説明する。図１は、通信システム１０の構成を例示している。この通信システム１０は、通信端末装置２０とＡＳＰ(Application Service Provider)設備３０が、ＳＩＰ(Session Initiation Protocol)サーバを用いて構成された次世代ネットワーク（ＮＧＮ）網４０に接続されている。
【００１８】
通信端末装置２０は、匿名性サービスを行うサービス提供者や、提供された匿名性サービスを利用するサービス利用者等が通信を行う際に用いる装置である。ここで、通信端末装置として、サービス提供者の通信端末装置２０Ｐとサービス利用者の通信端末装置２０Ｕが設けられているものとする。なお、サービス提供者によって提供されるサービスは、サービス会員のみが利用できるものとする。
【００１９】
ＡＳＰ設備３０は、ネットワークを介してアプリケーションを顧客に提供する事業者の設備であり、Ｗｅｂサーバ３１や認証サーバ３２、課金サーバ３３、Ｂ２ＢＵＡ(Back-to-Back User Agent)３４等を用いて構成されている。
【００２０】
Ｗｅｂサーバ３１は、例えばＷＷＷ(World Wide Web)システムにおいて情報を送信するコンピュータまたはＷＷＷによる情報送信機能を持ったソフトウェアであり、ＨＴＴＰプロトコルで情報の通信を行うものである。Ｗｅｂサーバ３１は、種々のサービスを行うアプリケーションを稼働させて、Ｗｅｂブラウザなどのクライアントソフトウェアを用いたユーザからの要求に応じて文書や画像などの情報を送信する。また、Ｗｅｂサーバ３１は、提供可能なサービスに関する情報例えばどのようなサービスが何れのサービス提供者によって行われているかを示す情報を記憶しており、サービス利用者によってサービスの指定が行われたとき、サービス利用者のユーザ識別情報と、指定されたサービスを提供するサービス提供者のユーザ識別情報を出力するように構成されている。すなわち、Ｗｅｂサーバ３１は、サービス利用者の通信端末装置２０Ｕからサービス提供者の通信端末装置２０Ｐに対して接続要求がなされたとき、通信端末装置２０Ｕ，２０Ｐに割り当てられている電話番号をＢ２ＢＵＡ３４に出力する。なお、電話番号は、Ｗｅｂサーバ３１が記憶しておくものとしてもよく、認証サーバ３２にサービスの利用を可能とされた会員の電話番号を記憶させて、認証サーバ３２から取得してもよい。また、認証サーバ３２から電話番号をＢ２ＢＵＡ３４に出力するようにしてもよい。
【００２１】
認証サーバ３２は、ＡＳＰ設備３０に対してアクセスする利用者が、サービスの利用を可能とされた会員であるか否かを識別するためのものである。認証サーバ３２は、例えば会員の「ユーザ名」および「パスワード」を蓄積しておき、利用者からＡＳＰ設備３０に対して送信された「ユーザ名」が登録されているか、また「ユーザ名」が登録されているときに、利用者から送信された「パスワード」と登録されている「ユーザ名」に対応する「パスワード」が一致するか否かを判別することで、利用者が会員であるか否かを判別する。なお、認証サーバ３２は、サービスの利用を可能とされた会員の電話番号を記憶させておき、サービス利用者やサービス提供者の電話番号をＷｅｂサーバ３１やＢ２ＢＵＡ３４に出力するものとしてもよい。
【００２２】
課金サーバ３３は、会員のサービス利用に応じて課金を行うためのものである。課金サーバ３３は、会員がどのようなサービスをどの位利用したかを示すログを蓄積しておき、この蓄積されたログに基づき会員に対して費用の請求を行えるようにする。また、課金サーバ３３は、サービスを利用するときにＮＧＮ網４０を使用したことによって生じたネットワーク使用料等を会員毎に管理して、サービスの利用料と共にネットワーク使用料等を合わせて請求できるようにする。
【００２３】
Ｂ２ＢＵＡ３４は、サービス利用者（またはサービス提供者）の通信端末装置から供給されたメッセージを処理するために、新たなメッセージを生成してサービス提供者（またはサービス利用者）の通信端末装置に供給することで、サービス利用者やサービス提供者のセキュリティを管理して通信を行うためのものである。すなわち、Ｂ２ＢＵＡ３４は、Ｗｅｂサーバ３１から出力されたユーザ識別情報（例えば電話番号）を用いて、３ＰＣＣ(3rd Party Call Control)を行う。具体的には、Ｗｅｂサーバ３１から出力されたユーザ識別情報を用いて通信端末装置２０Ｕとのセッションと通信端末装置２０Ｐとのセッションを、帯域保証型のネットワークであるＮＧＮ網４０を介して確立したのち、ＮＧＮ網４０において通信端末装置２０Ｕ，２０Ｐの一方から送信された信号を他方に転送させる転送指示を、ＮＧＮ網４０のＳＩＰサーバ４１に対して行う。また、Ｂ２ＢＵＡ３４は、異なるプロトコル間の接続処理等も行う。例えばＡＳＰ設備３０で用いられているプロトコルとＮＧＮ網４０で用いられているプロトコルが異なる場合でも、Ｂ２ＢＵＡ３４によってプロトコル変換を行うことで、通信端末装置２０とＡＳＰ設備３０のサーバ間で通信を可能とする。
【００２４】
図２は、通信端末装置２０の構成を例示している。この通信端末装置２０は、制御部２１、入力部２２、出力部２３、情報入出力部２４、情報記憶部２５、情報処理部２６、ネットワーク通信部２７および表示部２８とを有している。
【００２５】
制御部２１は、通信端末装置２０の各部の動作を制御する。この制御部２１は、ＣＰＵ（Central Processing Unit）２１１、ＲＯＭ（Read Only Memory）２１２およびＲＡＭ（Random Access Memory）２１３を備えている。制御部２１においては、ＣＰＵ２１１が、例えば、ＲＯＭ２１２に記憶されているプログラムをＲＡＭ２１３にロードして実行することにより、種々の制御処理を行う。
【００２６】
入力部２２は、キーボード、マウス等により構成されている。出力部２３はスピーカ等により構成されている。情報入出力部２４は、磁気ディスク、光ディスク、光磁気ディスク、あるいはメモリカード等のリムーバブルメディアのドライブ、各種入出力端子等により構成されている。
【００２７】
情報記憶部２５は、ＨＤＤ(Hard Disk Drive)、不揮発性メモリ等により構成されている。この情報記憶部２５には、上述した情報入出力部２４から入力される映像信号、音声信号、データ等の各種情報、あるいは、相手側通信端末装置から送信されてくる映像信号、音声信号、データ等の各種情報が記憶保持される。また、通信端末装置２０がサービス提供者の通信端末装置であるとき、情報記憶部２５には提供するサービスのコンテンツ信号、例えば映像信号や音声信号、データ信号等が記憶される。
【００２８】
情報処理部２６は、圧縮処理／伸長処理、パケット処理／デパケット処理等を行う。すなわち、情報処理部２６は、入力部２２から供給された映像信号や音声信号および情報記憶部２５から読み出した送信情報に対して圧縮処理を行い圧縮データを生成する。さらに、情報処理部２６は、圧縮データに対してパケット処理を行い、圧縮データをパケット化して多重することで送信メディアストリームを生成する。また、情報処理部２６は、ネットワーク通信部２７で受信された受信メディアストリームに対してデパケット処理を行い、映像や音声等の圧縮データを得る。さらに、情報処理部２６は、圧縮データに対して伸張処理を行い、映像信号や音声信号を受信情報として生成する。
【００２９】
ネットワーク通信部２７は、ＮＧＮ網４０を介して通信を行うためのものである。このネットワーク通信部２７は、情報処理部２６で生成された送信信号を相手側通信端末装置に送信すると共に、相手側通信端末装置から受信した受信信号を情報処理部２６に供給する。
【００３０】
表示部２８は、サービスを選択するためのメニュー表示や、選択したサービス例えば映像コンテンツの表示を行う。
【００３１】
通信端末装置が接続されるＮＧＮ網４０は、セッション管理サーバであるＳＩＰサーバ４１を用いて構成されている。このＮＧＮ網４０は、通信事業者が提供するネットワークであり、通信事業者の管理下で品質や機能が保証された通信を行うことができる帯域保証型のネットワークである。また、ＮＧＮ網４０のアーキテクチャは、パケットの転送機能を提供するトランスポート・ストラタムと、付加価値サービスを提供するサービス・ストラタムの２階層モデルとされている。
【００３２】
トランスポート・ストラタムは、データ転送を行うトランスポート機能、ユーザの受付を行うネットワーク・アタッチメント制御機能、Ｑｏｓ制御を実行するリソース受付制御機能等から構成されている。ＮＧＮ網４０は、ネットワーク・アタッチメント制御機能やリソース受付制御機能によって、許可されたユーザのメディアストリーム毎に品質を確保する。また、サービス・ストラタムは、ＩＰマルチメディア・サブシステム(ＩＭＳ)、電話エミュレーションを行うサービス制御機能、アプリケーションサポート機能やサービスサポート機能等から構成されている。
【００３３】
このように構成された通信システム１０では、ＳＩＰのプロトコルで通話制御が行われる。ＳＩＰでは、何らかの処理を行うとき、処理を要求するリクエストメッセージと、リクエストメッセージに対する応答を示すレスポンスメッセージの通信が行われる。
【００３４】
ＳＩＰのメッセージは、スタートライン、ヘッダ、ボディで構成されている。スタートラインは、メッセージがどのような目的のメッセージであるかを示す情報を記述したものである。ＳＩＰのメッセージがリクエストメッセージであるとき、スタートラインにはメソッド名ＩＮＶＩＴＥ，ＢＹＥ，ＵＰＤＡＴＥ，ＡＣＫ等が記述される。ここで、ＩＮＶＩＴＥは、セッションの開始要求である。ＢＹＥは、セッションの終了である。ＵＰＤＡＴＥは、更新されたセッション情報の提供であり、ＡＣＫは、最終応答の受信の確認である。また、ＳＩＰのメッセージがレスポンスメッセージであるとき、スタートラインにはＨＴＴＰ(Hypertext Transfer Protocol)と同様な３桁の番号で表現されるステータスコード２００ ＯＫ，４８８ Ｎｏｔ Ａｃｃｅｐｔａｂｌｅ Ｈｅｒｅ等が記述される。ここで、２００ ＯＫは、リクエストの成功を示すものである。また、４８８ Ｎｏｔ Ａｃｃｅｐｔａｂｌｅ Ｈｅｒｅは、リクエストの受け入れ不能を示すものである。
【００３５】
ヘッダは、メッセージの制御内容を記述したものであり、予め規定された意味を持つ複数のヘッダ行（例えばＦｒｏｍ，Ｔｏ，Ｃａｌｌ−ＩＤ等）で構成されている。
【００３６】
ボディは、メッセージの添付情報を記述したものである。例えばＩＮＶＩＴＥメッセージでは、セッションの識別と、セッションで利用するメディアの種類等を指定する情報がＳＤＰ(Session Description Protocol)に従って記述される。
【００３７】
図３は、通信システム１０の動作を示している。なお、通信システム１０では、ＮＧＮ網４０を介して通信端末装置２０がＡＳＰ設備３０にＰＰＰｏＥ接続可能とされているものとする。
【００３８】
通信システム１０では、サービス利用者が通信端末装置２０ＵからＰＰＰｏＥ接続でＡＳＰ設備３０のＷｅｄサーバ３１にアクセスして、利用するサービスを指定する（矢印Ｆ１）。Ｗｅｂサーバ３１は、サービスの指定が行われたとき、サービス利用者のユーザ識別情報すなわちサービス利用者の通信端末装置２０Ｕに割り当てられている電話番号と、指定されたサービスを提供するサービス提供者のユーザ識別情報すなわちサービス提供者の通信端末装置２０Ｐに割り当てられている電話番号をＢ２ＢＵＡ３４に通知する（矢印Ｆ２）。Ｂ２ＢＵＡ３４は、ＮＧＮ網４０において、Ｂ２ＢＵＡ３４とサービス利用者の通信端末装置２０ＵのセッションおよびＢ２ＢＵＡ３４とサービス提供者の通信端末装置２０Ｐのセッションを確立する（矢印Ｆ３，Ｆ４）。その後、サービス利用者が指定したサービスのコンテンツ信号を、サービス提供者の通信端末装置からサービス利用者の通信端末装置に供給させる（矢印Ｆ５）。すなわち、３ＰＣＣ接続によってサービスのコンテンツ信号の通信を行う。
【００３９】
次に、サービスの利用動作について説明する。ここで、サービスとしてサービス提供者の通信端末装置２０Ｐから動画をサービス利用者に配信するサービス（以下「動画共有ポータルサービス」という）を行う場合、サービス提供者側は、図４に示すように配信する動画を識別可能とする情報例えばサムネイルをＷｅｂサーバ３１にサービス提供者の電話番号と共に記憶させておく（矢印Ｆ６）。
【００４０】
プロバイダの会員であるサービス利用者は、図５に示すように、プロバイダが提供する会員制のポータルにベストエフォート型のネットワークを介してアクセスする（矢印Ｆ７）。すなわち、サービス利用者は、通信端末装置２０を操作してＰＰＰｏＥ接続したのち、ブラウザでプロバイダのＡＳＰ設備３０におけるＷｅｂサーバ３１にアクセスする操作を行う。ここで、Ｗｅｂサーバ３１と接続されたとき、Ｗｅｂサーバ３１はＷｅｂ画面の表示させる情報信号を通信端末装置２０Ｕに供給する（矢印Ｆ８）。通信端末装置２０Ｕは、Ｗｅｂサーバ３１から供給された情報信号に基づき表示処理を行い、表示部２８にＷｅｂ画面を表示させる。
【００４１】
サービス利用者は、Ｗｅｂ画面の指示に従い認証ＩＤやパスワードの入力操作を行う。認証ＩＤやパスワードが入力されたとき、ＡＳＰ設備３０の認証サーバ３２は、認証ＩＤとパスワードからサービス利用者が会員であることを確認して、確認されたサービス利用者の電話番号をＷｅｂサーバ３１に通知する。
【００４２】
Ｗｅｂサーバ３１は、サービス利用者の通信端末装置２０Ｕと通信を行い、提供するサービスの選択画面等を通信端末装置２０Ｕの表示部２８に表示させる。例えば、動画共有ポータルサービスを行うときには、記憶しているサムネイルを表示部２８に表示させる。
【００４３】
サービス利用者は、表示されたＷｅｂ画面上でサービスの検索を行うことにより所望のサービス提供者を選択して、選択したサービスを利用するための操作を行う。例えば、表示されたサムネイルから所望のサムネイルを指定する操作を行う。
【００４４】
Ｗｅｂサーバ３１は、サービスを提供するサービス提供者の電話番号を記憶しており、利用するサービスが通信端末装置２０Ｕから通知されたとき、通信端末装置２０Ｕに割り当てられている電話番号と、サービスの提供を行う通信端末装置２０Ｐの電話をＢ２ＢＵＡ３４に供給する。例えばサムネイルが指定されたとき、サムネイルの指定を行った通信端末装置２０Ｕの電話番号と、指定されたサムネイルに対応する動画の配信を行う通信端末装置２０Ｐの電話番号をＢ２ＢＵＡ３４に供給する。Ｂ２ＢＵＡ３４は、Ｗｅｂサーバ３１から供給された電話番号を用いて３ＰＣＣ接続を行う。
【００４５】
このように、ベストエフォート型のネットワーク例えばインターネットを介して、サービス利用者の通信端末装置２０ＵをＷｅｂサーバ３１にアクセスさせることで、帯域保証型のネットワークであるＮＧＮ網４０でセッションの確立を行わなくとも、通信端末装置２０ＵとＷｅｂサーバ３１との通信によって利用するサービスの指定が可能となる。利用するサービスの指定では、通信するデータ量が少ないことから帯域保証型のネットワークを用いなくとも、利用するサービスの指定を行うことができる。また、帯域保証型のネットワークを用いないことから、利用するサービスを指定する操作によって帯域保証型のネットワークの利用料が生じてしまうことも防止できる。
【００４６】
図６は、決定されたサービス提供者のサービスを利用するときの動作を示すシーケンス図である。サービス利用者の通信端末装置２０Ｕは、ベストエフォート型のネットワークを介して、利用するサービスのサービス提供者を通信相手としてＷｅｂサーバ３１に通知する（ステップＳＴ１）。
【００４７】
Ｗｅｂサーバ３１は、３ＰＣＣ接続でサービス利用者の通信端末装置２０Ｕとサービス提供者の通信端末装置２０Ｐで通信を行うことができるように、Ｂ２ＢＵＡ３４に対して３ＰＣＣ発呼要求を行う（ステップＳＴ２）。この３ＰＣＣ発呼要求では、サービス利用者とサービス提供者の電話番号をＢ２ＢＵＡ３４に通知する。
【００４８】
Ｂ２ＢＵＡ３４は、３ＰＣＣ発呼要求がなされたとき、サービス利用者の通信端末装置２０Ｕとセッションを確立できるように、通信端末装置２０Ｕを宛先としたリクエストメッセージすなわちＩＮＶＩＴＥメッセージを送信する（ステップＳＴ３）。ここで、サービス利用者は、例えばサービス提供者で提供されるコンテンツ信号の受信のみを行うものとして、Ｂ２ＢＵＡ３４は、ＩＮＶＩＴＥメッセージのメッセージボディ（ＳＤＰフィールド）において、メディア属性を送信のみ（sendonly）とする。
【００４９】
ＮＧＮ網４０は、Ｂ２ＢＵＡ３４から供給されたＩＮＶＩＴＥメッセージを通信端末装置２０Ｕに転送する（ステップＳＴ４）。
【００５０】
通信端末装置２０Ｕは、受信したＩＮＶＩＴＥメッセージを受け入れることができるとき、２００ ＯＫメッセージをレスポンスとして送信する（ステップＳＴ５）。また、通信端末装置２０Ｕは、ＩＮＶＩＴＥメッセージのメッセージボディにおいて、メディア属性が送信のみとされていることから、２００ ＯＫメッセージのメッセージボディでは、メディア属性を受信のみ（recvonly）とする。なお、通信端末装置２０Ｕは、ＩＮＶＩＴＥメッセージを受け入れることができないとき、例えば４８８ Ｎｏｔ Ａｃｃｅｐｔａｂｌｅ Ｈｅｒｅメッセージをレスポンスとして送信する。
【００５１】
ＮＧＮ網４０は、通信端末装置２０Ｕから供給された２００ ＯＫメッセージをＢ２ＢＵＡ３４に転送する（ステップＳＴ６）。
【００５２】
Ｂ２ＢＵＡ３４は、通信端末装置２０Ｕからリクエストメッセージに対するレスポンスメッセージが供給されたとき、レスポンスメッセージの受信を示すＡＣＫメッセージを通信端末装置２０Ｕに送信する。
【００５３】
このように、通信端末装置２０Ｕからの２００ ＯＫメッセージをＢ２ＢＵＡ３４に転送することで、Ｂ２ＢＵＡ３４はセッションの確立を認識できる。また、Ｂ２ＢＵＡ３４から通信端末装置２０ＵにＡＣＫメッセージを供給することで、通信端末装置２０Ｕはセッションの確立を認識できる。なお、説明を簡単とするため、図６および以下の説明では、ＡＣＫメッセージの記載および説明を省略する。
【００５４】
Ｂ２ＢＵＡ３４は、通信端末装置２０Ｕから２００ ＯＫメッセージが供給されたことに応じて、通信端末装置２０Ｕとのセッションを確立して（1st Call）通信端末装置２０Ｕと通信を行う（ステップＳＴ７）。
【００５５】
次に、Ｂ２ＢＵＡ３４は、３ＰＣＣ接続を用いるため、サービス提供者の通信端末装置２０Ｐとセッションを確立して通信を行うことができるように、通信端末装置２０Ｐを宛先としたＩＮＶＩＴＥメッセージの送信を行う（ステップＳＴ８）。ここで、サービス提供者は、例えばサービス利用者が要求したコンテンツ信号等の送信のみを行うものとして、Ｂ２ＢＵＡ３４は、ＩＮＶＩＴＥメッセージのメッセージボディ（ＳＤＰフィールド）において、メディア属性を受信のみ（recvonly）とする。
【００５６】
ＮＧＮ網４０は、Ｂ２ＢＵＡ３４から供給されたＩＮＶＩＴＥメッセージを通信端末装置２０Ｐに転送する（ステップＳＴ９）。
【００５７】
通信端末装置２０Ｐは、受信したＩＮＶＩＴＥメッセージを受け入れることができるとき、２００ ＯＫメッセージをレスポンスとして送信する（ステップＳＴ１０）。また、通信端末装置２０Ｐは、ＩＮＶＩＴＥメッセージのメッセージボディにおいて、メディア属性が受信のみとされていることから、２００ ＯＫメッセージのメッセージボディでは、メディア属性を送信のみ（sendonly）とする。なお、通信端末装置２０Ｐは、ＩＮＶＩＴＥメッセージを受け入れることができないとき、例えば４８８ Ｎｏｔ Ａｃｃｅｐｔａｂｌｅ Ｈｅｒｅメッセージをレスポンスとして送信する。
【００５８】
ＮＧＮ網４０は、通信端末装置２０Ｐから供給された２００ ＯＫメッセージをＢ２ＢＵＡ３４に転送する（ステップＳＴ１１）。
【００５９】
Ｂ２ＢＵＡ３４は、通信端末装置２０Ｐから２００ ＯＫメッセージが供給されたことに応じて、通信端末装置２０Ｐとのセッションを確立して（2nd Call）通信端末装置２０Ｐと通信を行う（ステップＳＴ１２）。
【００６０】
次に、Ｂ２ＢＵＡ３４は、Ｂ２ＢＵＡ３４を中継しなくとも、通信端末装置２０Ｐから通信端末装置２０Ｕにコンテンツ信号等を送信できるように、セッション転送処理を行う。すなわち、Ｂ２ＢＵＡ３４は、ＲＥＦＥＲメッセージをＮＧＮ網４０に送信する（ステップＳＴ１３）。なお、ＲＥＦＥＲメッセージのＲｅｆｅｒ−Ｔｏヘッダには転送先である通信端末装置２０Ｕの情報を記述する。
【００６１】
ＮＧＮ網４０は、ＲＥＦＥＲメッセージのＲｅｆｅｒ−Ｔｏヘッダから転送先を確認して、転送を了承する場合は状態通知の役割を果たすＮＯＴＩＦＹメッセージをＢ２ＢＵＡ３４に送信する（ステップＳＴ１４）。
【００６２】
Ｂ２ＢＵＡ３４は、ＮＯＴＩＦＹメッセージがＮＧＮ網４０から供給されたとき、このＮＯＴＩＦＹメッセージに対するレスポンスメッセージとして、２００ ＯＫメッセージをＮＧＮ網４０に送信する（ステップＳＴ１５）。
【００６３】
このようにＲＥＦＥＲメッセージを利用することで、Ｂ２ＢＵＡ３４を介することなく通信端末装置２０Ｐと通信端末装置２０Ｕとの間でセッションを確立して通信を行うことができる（ステップＳＴ１８）。
【００６４】
Ｂ２ＢＵＡ３４を介することなく通信端末装置２０Ｐと通信端末装置２０Ｕとの間でセッションが確立されると、Ｂ２ＢＵＡ３４は、ＮＧＮ網４０とのセッションを確立しておく必要がない。したがって、Ｂ２ＢＵＡ３４は、ＮＧＮ網４０とのセッションを終了するため、ＢＹＥメッセージをＮＧＮ網４０に送信する（ステップＳＴ１９）。
【００６５】
ＮＧＮ網４０は、Ｂ２ＢＵＡ３４からのＢＹＥメッセージを受け入れて、このＢＹＥメッセージに対するレスポンスメッセージとして、２００ ＯＫメッセージをＢ２ＢＵＡ３４に送信する（ステップＳＴ２０）。
【００６６】
その後、サービル利用者から利用終了操作が行われたとき、通信端末装置２０Ｕはセッションを終了する。
【００６７】
このような処理を行うものとすれば、サービス提供者の通信端末装置２０Ｐの電話番号を公開しなくともサービスの提供が可能となり、匿名性サービスを実現できる。
【００６８】
また、帯域保証型のネットワークであるＮＧＮ網４０を用いて、通信端末装置２０Ｐは送信のみで通信端末装置２０Ｕは受信のみとしてセッションを確立して、サービスのコンテンツ信号例えばユーザの所望する動画の映像信号等を通信端末装置２０Ｐから通信端末装置２０Ｕに供給できる。したがって、帯域が保証された通信によってリアルタイムで高精細な映像コンテンツをサービス利用者側で再生することが可能となる。
【００６９】
さらに、ＮＧＮ網４０でセッションを確立してサービスを利用する場合、全てＢ２ＢＵＡ３４からＩＮＶＩＴＥメッセージが送信されるので、ＮＧＮ網４０の利用に対する課金は、ＮＧＮ網４０を運用するキャリアからＡＳＰ設備３０を運用するサービス管理者側に対して行われる。したがって、サービス管理者は、サービスの利用に対する課金とＮＧＮ網４０の利用に対する課金をまとめて、サービス利用者に請求することができる。また、サービスの利用に対する課金とＮＧＮ網４０の利用に対する課金がサービス管理者からまとめて請求されるので、サービス利用者は、サービスの利用に対する課金とＮＧＮ網４０の利用に対する課金の支払いを個々に行う必要がない。
【００７０】
さらに、Ｂ２ＢＵＡ３４は、ＩＮＶＩＴＥメッセージにおいて送信または受信のみあるいは送受信の動作に設定することができるので、サービス利用者の通信端末装置２０Ｕとサービス提供者の通信端末装置２０Ｐ間で、片方向通信を行うか双方向通信を行うかの管理をサービス管理者が行うことができる。
【００７１】
また、ＮＧＮ網４０で転送処理を行わせることで、Ｂ２ＢＵＡ３４を介することなくサービル提供者とサービス利用者間でパスを設定できるので、Ｂ２ＢＵＡ３４のチャネルを有効利用することができる。
【００７２】
また、サービスを利用する際には、サービス提供者の通信端末装置２０Ｐからコンテンツ信号等がサービス利用者の通信端末装置２０Ｕに送信される。したがって、サービスで提供するコンテンツ信号等を蓄積しておくストレージをＡＳＰ設備３０に設ける必要がないので、ＡＳＰ設備３０が大規模な構成となってしまうことを防止できる。さらに、サービスで提供するコンテンツ信号等は、サービス提供者の通信端末装置２０Ｐに蓄積されているので、サービスコンテンツの管理をサービス提供者が容易に管理できるようになる。
【００７３】
ところで、図６に示すステップＳＴ７でＢ２ＢＵＡ３４と通信端末装置２０Ｕとのセッションが確立されてから、ステップＳＴ１８でＢ２ＢＵＡ３４を介することなく通信端末装置２０Ｐと通信端末装置２０Ｕとの間でセッションが確立されるまで、通信端末装置２０Ｕは通信待ちの状態であり、無駄な時間が生じてしまう。
【００７４】
そこで、Ｂ２ＢＵＡ３４は、この通信待ちの期間中に画像データ例えば動画データを通信端末装置２０Ｕに送信して画像表示を行わせることで、通信端末装置２０Ｕで生じた通信待ちの期間をＢ２ＢＵＡ３４によって有効に活用することができる。
【００７５】
図７は、通信端末装置２０Ｕが通信待ちの状態となるときに、Ｂ２ＢＵＡ３４によって所望の画像を表示させる場合のＡＰＳ設備３０の構成を示している。Ｂ２ＢＵＡ３４には、通信端末装置２０Ｕに送信する画像データを記憶した画像データ記憶部３５が接続されている。画像データ記憶部３５には、画像データ例えばＡＳＰ設備３０を管理する事業者からサービス利用者に通知する告知情報等を示す画像データ、種々のサービスや商品等の広告を示す画像データ等を記憶させておく。なお、画像データは静止画や動画のいずれの画像データであってもよく、以下の説明では動画の画像データとする。
【００７６】
図８は通信端末装置２０Ｕが通信待ちの状態となるときに、Ｂ２ＢＵＡ３４によって所望の画像を表示させる場合の動作を示すシーケンス図である。サービス利用者の通信端末装置２０Ｕは、ベストエフォート型のネットワークを介して、利用するサービスのサービス提供者を通信相手としてＷｅｂサーバ３１に通知する（ステップＳＴ３１）。
【００７７】
Ｗｅｂサーバ３１は、３ＰＣＣ接続でサービス利用者の通信端末装置２０Ｕとサービス提供者の通信端末装置２０Ｐで通信を行うことができるように、Ｂ２ＢＵＡ３４に対して３ＰＣＣ発呼要求を行う（ステップＳＴ３２）。この３ＰＣＣ発呼要求では、サービス利用者とサービス提供者の電話番号をＢ２ＢＵＡ３４に通知する。
【００７８】
Ｂ２ＢＵＡ３４は、３ＰＣＣ発呼要求がなされたとき、サービス利用者の通信端末装置２０Ｕとセッションを確立できるように、通信端末装置２０Ｕを宛先としたリクエストメッセージすなわちＩＮＶＩＴＥメッセージを送信する（ステップＳＴ３３）。ここで、サービス利用者は、例えばサービス提供者で提供されるコンテンツ信号の受信のみを行うものとして、Ｂ２ＢＵＡ３４は、ＩＮＶＩＴＥメッセージのメッセージボディ（ＳＤＰフィールド）において、メディア属性を送信のみ（sendonly）とする。
【００７９】
ＮＧＮ網４０は、Ｂ２ＢＵＡ３４から供給されたＩＮＶＩＴＥメッセージを通信端末装置２０Ｕに転送する（ステップＳＴ３４）。
【００８０】
通信端末装置２０Ｕは、受信したＩＮＶＩＴＥメッセージを受け入れることができるとき、２００ ＯＫメッセージをレスポンスとして送信する（ステップＳＴ３５）。また、通信端末装置２０Ｕは、ＩＮＶＩＴＥメッセージのメッセージボディにおいて、メディア属性が送信のみとされていることから、２００ ＯＫメッセージのメッセージボディでは、メディア属性を受信のみ（recvonly）とする。
【００８１】
ＮＧＮ網４０は、通信端末装置２０Ｕから供給された２００ ＯＫメッセージをＢ２ＢＵＡ３４に転送する（ステップＳＴ３６）。
【００８２】
Ｂ２ＢＵＡ３４は、通信端末装置２０Ｕからリクエストメッセージに対するレスポンスメッセージが供給されたとき、レスポンスメッセージの受信を示すＡＣＫメッセージを通信端末装置２０Ｕに送信する。
【００８３】
このように、通信端末装置２０Ｕからの２００ ＯＫメッセージをＢ２ＢＵＡ３４に転送することで、Ｂ２ＢＵＡ３４はセッションの確立を認識できる。また、Ｂ２ＢＵＡ３４から通信端末装置２０ＵにＡＣＫメッセージを供給することで、通信端末装置２０Ｕはセッションの確立を認識できる。なお、説明を簡単とするため、図６および以下の説明では、ＡＣＫメッセージの記載および説明を省略する。
【００８４】
Ｂ２ＢＵＡ３４は、通信端末装置２０Ｕから２００ ＯＫメッセージが供給されたことに応じて、画像データ記憶部３５に対して通信端末装置２０Ｕに送信する画像データの要求を行う（ステップＳＴ３７）。
【００８５】
画像データ記憶部３５は、Ｂ２ＢＵＡ３４からの要求に応じて、画像データをＢ２ＢＵＡ３４に供給する（ステップＳＴ３８）。
【００８６】
Ｂ２ＢＵＡ３４は、通信端末装置２０Ｕとのセッションを確立して（1st Call）通信端末装置２０Ｕと通信を行い、画像データ記憶部３５から読み出した画像データを通信端末装置２０Ｕに送信する（ステップＳＴ３９）。
【００８７】
次に、Ｂ２ＢＵＡ３４は、３ＰＣＣ接続を用いるため、サービス提供者の通信端末装置２０Ｐとセッションを確立して通信を行うことができるように、通信端末装置２０Ｐを宛先としたＩＮＶＩＴＥメッセージの送信を行う（ステップＳＴ４０）。ここで、サービス提供者は、例えばサービス利用者が要求したコンテンツ信号等の送信のみを行うものとして、Ｂ２ＢＵＡ３４は、ＩＮＶＩＴＥメッセージのメッセージボディ（ＳＤＰフィールド）において、メディア属性を受信のみ（recvonly）とする。
【００８８】
ＮＧＮ網４０は、Ｂ２ＢＵＡ３４から供給されたＩＮＶＩＴＥメッセージを通信端末装置２０Ｐに転送する（ステップＳＴ４１）。
【００８９】
通信端末装置２０Ｐは、受信したＩＮＶＩＴＥメッセージを受け入れることができるとき、２００ ＯＫメッセージをレスポンスとして送信する（ステップＳＴ４２）。また、通信端末装置２０Ｐは、ＩＮＶＩＴＥメッセージのメッセージボディにおいて、メディア属性が受信のみとされていることから、２００ ＯＫメッセージのメッセージボディでは、メディア属性を送信のみ（sendonly）とする。
【００９０】
ＮＧＮ網４０は、通信端末装置２０Ｐから供給された２００ ＯＫメッセージをＢ２ＢＵＡ３４に転送する（ステップＳＴ４３）。
【００９１】
Ｂ２ＢＵＡ３４は、通信端末装置２０Ｐから２００ ＯＫメッセージが供給されたことに応じて、通信端末装置２０Ｐとのセッションを確立して通信端末装置２０Ｐと通信を行う（ステップＳＴ４４）。
【００９２】
次に、Ｂ２ＢＵＡ３４は、Ｂ２ＢＵＡ３４を中継しなくとも、通信端末装置２０Ｐから通信端末装置２０Ｕにコンテンツ信号等を送信できるように、セッション転送処理を行う。また、セッション転送処理を行うため、Ｂ２ＢＵＡ３４から通信端末装置２０Ｕへの画像データの送信は終了する。すなわち、Ｂ２ＢＵＡ３４は、通信端末装置２０Ｕへの画像データの送信を終了したのち、ＲＥＦＥＲメッセージをＮＧＮ網４０に送信する（ステップＳＴ４５）。なお、ＲＥＦＥＲメッセージのＲｅｆｅｒ−Ｔｏヘッダには転送先である通信端末装置２０Ｕの情報を記述する。
【００９３】
ＮＧＮ網４０は、ＲＥＦＥＲメッセージのＲｅｆｅｒ−Ｔｏヘッダから転送先を確認して、転送を了承する場合は状態通知の役割を果たすＮＯＴＩＦＹメッセージをＢ２ＢＵＡ３４に送信する（ステップＳＴ４６）。
【００９４】
Ｂ２ＢＵＡ３４は、ＮＯＴＩＦＹメッセージがＮＧＮ網４０から供給されたとき、このＮＯＴＩＦＹメッセージに対するレスポンスメッセージとして、２００ ＯＫメッセージをＮＧＮ網４０に送信する（ステップＳＴ４７）。
【００９５】
このようにＲＥＦＥＲメッセージを利用することで、Ｂ２ＢＵＡ３４を介することなく通信端末装置２０Ｐと通信端末装置２０Ｕとの間でセッションを確立して通信を行うことができる（ステップＳＴ５０）。
【００９６】
Ｂ２ＢＵＡ３４を介することなく通信端末装置２０Ｐと通信端末装置２０Ｕとの間でセッションが確立されると、Ｂ２ＢＵＡ３４は、ＮＧＮ網４０とのセッションを確立しておく必要がない。したがって、Ｂ２ＢＵＡ３４は、ＮＧＮ網４０とのセッションを終了するため、ＢＹＥメッセージをＮＧＮ網４０に送信する（ステップＳＴ５１）。
【００９７】
ＮＧＮ網４０は、Ｂ２ＢＵＡ３４からのＢＹＥメッセージを受け入れて、このＢＹＥメッセージに対するレスポンスメッセージとして、２００ ＯＫメッセージをＢ２ＢＵＡ３４に送信する（ステップＳＴ５２）。
【００９８】
その後、サービル利用者から利用終了操作が行われたとき、通信端末装置２０Ｕはセッションを終了する。
【００９９】
このように、Ｂ２ＢＵＡ３４は、通信端末装置２０Ｕとのセッションが確立されたとき、通信端末装置２０Ｕに対して画像データの供給を行い、通信端末装置２０Ｐとの通信が行われるまでの通信端末装置２０Ｕにおける通信待ちの期間中、Ｂ２ＢＵＡ３４から供給された画像データに基づく画像表示を行わせる。このようにすれば、高精細な映像コンテンツのリアルタイム再生等が可能な匿名性サービスを行うことができるだけでなく、通信端末装置２０Ｕで生じた通信待ちの期間をＢ２ＢＵＡ３４によって活用して、さらに多様なサービスを行うことができる。例えばネットワークを介してアプリケーションを顧客に提供する事業者は、通信端末装置２０Ｕで生じた通信待ちの期間を利用して告知情報や広告等の種々の情報をユーザ側に供給するサービスを行うことができる。
【０１００】
なお、図４〜図８は、動画共有ポータルサービスを行う場合の動作を示しており、サービス提供者の通信端末装置２０Ｐからコンテンツ信号をサービス利用者の通信端末装置２０Ｕに送信する場合について説明した。しかし、通信端末装置の通信は、片方向通信に限られるものではなく、サービス利用者とサービス提供者間で双方向通信を行い、サービス利用者からサービス提供者に供給された種々の情報に基づき、サービス提供者でコンテンツ信号を生成して、生成したコンテンツ信号をサービス利用者に送信するようにしてもよい。例えば、占いや法律相談等のサービスを提供する場合、サービス利用者から供給された種々の情報に基づいて、占い結果や相談の回答を示すコンテンツ信号を生成して、このコンテンツ信号をサービス利用者に送信するようにしてもよい。
【０１０１】
この場合、サービス利用者の通信端末装置２０Ｕとサービス提供者の通信端末装置２０Ｐは、双方向通信を行う必要があるので、通信端末装置２０ＵとＢ２ＢＵＡ３４とのセッションの確立や、通信端末装置２０ＰとＢ２ＢＵＡ３４とのセッションの確立を行うときに用いるＩＮＶＩＴＥメッセージのメッセージボディ（ＳＤＰフィールド）において、メディア属性を送受信モード（sendrecv）とする。さらに、Ｂ２ＢＵＡ３４は、セッション転送の処理を行うとき、サービス提供者の通信端末装置２０Ｐから供給された信号をサービス利用者の通信端末装置２０Ｕに転送させるだけでなく、サービス利用者の通信端末装置２０Ｕから供給された信号をサービス提供者の通信端末装置２０Ｐに転送するように、ＮＧＮ網４０の設定を行う。
【０１０２】
このようにすれば、サービス提供者の通信端末装置２０Ｐからコンテンツ信号を単に送信するサービスだけでなく、サービス利用者からの情報に基づいて種々のコンテンツ信号を送信するサービス等にも適用することができる。
【産業上の利用可能性】
【０１０３】
この発明は、第１の通信端末装置から第２の通信端末装置との接続要求がなされたとき、それぞれの通信端末装置に割り当てられているユーザ識別情報を用いて、第三者呼制御が例えばＮＧＮ網で行われる。このため、第１の通信端末装置が第２の通信端末装置のユーザ識別情報を知らなくとも、ＮＧＮ網で予約されている帯域を使用して、第１の通信端末装置と第２の通信端末装置との通信が可能となる。したがって、高精細な映像コンテンツのリアルタイム再生等を行えるサービスを、電話番号等であるユーザ識別情報を秘匿した状態で提供する場合に適している。
【図面の簡単な説明】
【０１０４】
【図１】通信システムの構成を例示した図である。
【図２】通信端末装置の構成を例示した図である。
【図３】通信システムの動作を示す図である。
【図４】動画共有ポータルサービスを行うときのサービス提供側の動作を説明するための図である。
【図５】サービスの利用動作を説明するための図である。
【図６】サービスを利用するときの動作を示すシーケンス図である。
【図７】サービスの他の利用動作を説明するための図である。
【図８】サービスを利用するときの他の動作を示すシーケンス図である。
【図９】ＮＧＮ網を用いた従来の動作を示す図である。
【符号の説明】
【０１０５】
１０・・・通信システム、２０，２０Ａ，２０Ｂ，２０Ｐ，２０Ｕ・・・通信端末装置、２１・・・制御部、２２・・・入力部、２３・・・出力部、２４・・・情報入出力部、２５・・・情報記憶部、２６・・・情報処理部、２７・・・ネットワーク通信部、２８・・・表示部、３０・・・ＡＳＰ設備、３１・・・Ｗｅｂサーバ、３２・・・認証サーバ、３３・・・課金サーバ、３４・・・Ｂ２ＢＵＡ、３５・・・画像データ記憶部、４０・・・ＮＧＮ網、４１・・・ＳＩＰサーバ、２１１・・・ＣＰＵ、２１２・・・ＲＯＭ、２１３・・・ＲＡＭ
【図１】
2010010892.tif 000003
【図２】
2010010892.tif 000004
【図３】
2010010892.tif 000005
【図４】
2010010892.tif 000006
【図５】
2010010892.tif 000007
【図６】
2010010892.tif 000008
【図７】
2010010892.tif 000009
【図８】
2010010892.tif 000010
【図９】
2010010892.tif 000011